(57)【要約】      （修正有）【課題】上方荷重が加えられた場合でもファンヒーターから容易に外れるおそれがなく、また、温風吹き出し口と前面ガード部との距離を十分に大きくとることができる、安全性の高いファンヒーター用ガードを提供する。【解決手段】ファンヒーター用ガード１は、それぞれ格子状の前面ガード部２１、上面ガード部２２、左側面ガード部および右側面ガード部２４を有しかつファンヒーター７のケーシング前面７０ａにおける温風吹き出し口付近を含む部分を覆うように床面Ｆに立てられるガード本体２と、ガード本体２をファンヒーター７のケーシング７０に固定解除自在に固定しうる固定部材３とを備えている。【選択図】図３
0003212715.tif 000002
【実用新案登録請求の範囲】
【請求項１】
前面に温風吹き出し口が設けられかつ底部がトレイ状の底板によって構成されている略箱形のケーシングを有しているファンヒーターのケーシング前面側に設置されて、温風吹き出し口付近に身体等が接触するのを防止するファンヒーター用ガードであって、
格子状の前面ガード部、前面ガード部の上縁から後方にのびている格子状の上面ガード部、前面ガード部の左縁および右縁からそれぞれ後方にのびかつ各上縁が上面ガード部の左右各縁に連結されている格子状の左側面ガード部および右側面ガード部を有しており、ファンヒーターのケーシング前面における温風吹き出し口付近を含む部分を覆うように床面に立てられるガード本体と、
ガード本体をファンヒーターのケーシングに固定解除自在に固定しうる固定部材とを備えている、ファンヒーター用ガード。
【請求項２】
ガード本体の左側面ガード部および右側面ガード部が、上面ガード部の後縁よりも後方に突出しかつファンヒーターのケーシング左側面およびケーシング右側面にそれぞれ沿わされる後方突出部分を有しているとともに、左側面ガード部および右側面ガード部の各下縁全体のうち少なくとも前端部を除く部分に、ケーシング底板との干渉を避けられるように、前面ガード部の下縁よりも所要高さだけ上方に位置させられた非接地縁部が設けられている、請求項１記載のファンヒーター用ガード。
【請求項３】
左側面ガード部および右側面ガード部の各下縁の非接地縁部に、前面ガード部の下縁と同一レベルの下端を有する支持脚が、前後方向にスライド可能にかつ固定手段によって任意のスライド位置で固定可能に取り付けられている、請求項２記載のファンヒーター用ガード。
【請求項４】
固定部材が、一端が左側面ガード部に連結され、他端が右側面ガード部に連結されて、ケーシングの周囲に巻き留められる少なくとも１つの固定バンドよりなる、請求項１〜３のいずれか１つに記載のファンヒーター用ガード
【請求項５】
ガード本体が、第１前面ガード部、第１上面ガード部および左側面ガード部を有している第１ガード部材と、第２前面ガード部、第２上面ガード部および右側面ガード部を有している第２ガード部材とで構成されており、
第１ガード部材の第１前面ガード部および第１上面ガード部と、第２ガード部材の第２前面ガード部および第２上面ガード部とが、それぞれ前後および上下に重ねられているとともに、相対的に左右方向にスライド自在に連結されている、請求項１〜４のいずれか１つに記載のファンヒーター用ガード。
【考案の詳細な説明】
【技術分野】
【０００１】
この考案は、石油ファンヒーター、ガスファンヒーター等のファンヒーター（温風暖房機）を使用する際に、ファンヒーターのケーシング前面に設けられた温風吹き出し口の付近に身体等が接触するのを防止するために用いられるファンヒーター用ガードに関する。
【背景技術】
【０００２】
ファンヒーターを使用する場合、ケーシングの前面に設けられた温風吹き出し口から温風が長時間に亘って吹き出すため、その温風の熱によって温風吹き出し口およびその周辺が高温となる。そのため、暖房運転中のファンヒーターの温風吹き出し口付近に身体が接触すると火傷を負うことがあり、また、温風吹き出し口付近に非耐熱性の物品が接触すると熱で溶けるという問題があった。
【０００３】
そこで、このような問題を解消するため、例えば下記の特許文献１に開示されているように、ファンヒーターにケーシング前面の温風吹き出し口付近を覆うように取り付けられて、温風吹き出し口付近に身体等が接触するのを防止するファンヒーター用ガードが提案されている。
例えば特許文献１記載のファンヒーター用ガードは、それぞれ格子状の前面ガード部、上面ガード部、下面ガード部および左右側面ガード部を有する後方開口箱状のものであって、ファンヒーターのケーシング前面に温風吹き出し口付近を覆うように重ねられて、左右側面ガード部の後縁部分に設けられた面ファスナー、磁石、吸盤等の固定部材によって、ケーシングの左右側面に取り付けられるようになっている。
【先行技術文献】
【特許文献】
【０００４】
【特許文献１】特開２００２−２２２８２号公報
【考案の概要】
【考案が解決しようとする課題】
【０００５】
しかしながら、上述した従来のファンヒーター用ガードの場合、ファンヒーターのケーシング前面における温風吹き出し口が開口している高さ中間位置に、床面から離れて取り付けられている上、固定部材として面ファスナー、磁石、吸盤等の比較的取付強度が弱いものが用いられているため、上方から荷重が加えられると容易に外れて、温風吹き出し口付近に身体等が接触するおそれがあった。
また、上記のファンヒーター用ガードでは、固定部材によるケーシングへの取付強度との関係上、サイズや重量に制約があり、従って、温風吹き出し口と前面ガード部との距離を十分に大きくとることができず、運転条件等によっては、前面ガード部が高温となって、身体等が接触すると火傷等を起こすおそれがあった。
【０００６】
この考案は、上記の問題点に鑑みてなされたものであって、上方荷重が加えられた場合でもファンヒーターから容易に外れるおそれがなく、また、温風吹き出し口と前面ガード部との距離を十分に大きくとることができる、安全性の高いファンヒーター用ガードを提供することを目的としている。
【課題を解決するための手段】
【０００７】
この考案は、上記の目的を達成するために、以下の態様からなる。
【０００８】
１）前面に温風吹き出し口が設けられかつ底部がトレイ状の底板によって構成されている略箱形のケーシングを有しているファンヒーターのケーシング前面側に設置されて、温風吹き出し口付近に身体等が接触するのを防止するファンヒーター用ガードであって、
格子状の前面ガード部、前面ガード部の上縁から後方にのびている格子状の上面ガード部、前面ガード部の左縁および右縁からそれぞれ後方にのびかつ各上縁が上面ガード部の左右各縁に連結されている格子状の左側面ガード部および右側面ガード部を有しており、ファンヒーターのケーシング前面における温風吹き出し口付近を含む部分を覆うように床面に立てられるガード本体と、
ガード本体をファンヒーターのケーシングに固定解除自在に固定しうる固定部材とを備えている、ファンヒーター用ガード。
【０００９】
２）ガード本体の左側面ガード部および右側面ガード部が、上面ガード部の後縁よりも後方に突出しかつファンヒーターのケーシング左側面およびケーシング右側面にそれぞれ沿わされる後方突出部分を有しているとともに、左側面ガード部および右側面ガード部の各下縁全体のうち少なくとも前端部を除く部分に、ケーシング底板との干渉を避けられるように、前面ガード部の下縁よりも所要高さだけ上方に位置させられた非接地縁部が設けられている、上記１）のファンヒーター用ガード。
【００１０】
３）左側面ガード部および右側面ガード部の各下縁の非接地縁部に、前面ガード部の下縁と同一レベルの下端を有する支持脚が、前後方向にスライド可能にかつ固定手段によって任意のスライド位置で固定可能に取り付けられている、上記２）のファンヒーター用ガード。
【００１１】
４）固定部材が、一端が左側面ガード部に連結され、他端が右側面ガード部に連結されて、ケーシングの周囲に巻き留められる少なくとも１つの固定バンドよりなる、上記１）〜３）のいずれか１つのファンヒーター用ガード。
【００１２】
５）ガード本体が、第１前面ガード部、第１上面ガード部および左側面ガード部を有している第１ガード部材と、第２前面ガード部、第２上面ガード部および右側面ガード部を有している第２ガード部材とで構成されており、
第１ガード部材の第１前面ガード部および第１上面ガード部と、第２ガード部材の第２前面ガード部および第２上面ガード部とが、それぞれ前後および上下に重ねられているとともに、相対的に左右方向にスライド自在に連結されている、上記１）〜４）のいずれか１つのファンヒーター用ガード。
【考案の効果】
【００１３】
上記１）のファンヒーター用ガードによれば、ガード本体が、ファンヒーターのケーシング前面における温風吹き出し口付近を含む部分を覆うように床面に立てられて、固定部材によりファンヒーターのケーシングに固定解除自在に固定されるようになっているので、ガード本体に上方から荷重が加えられた場合でもケーシングから容易に外れるおそれがなく、優れた安全性が得られる。
また、上記１）のファンヒーター用ガードによれば、ガード本体自体の荷重が床面で受けられるため、サイズや重量の制約が少なく、従って、温風吹き出し口と前面ガード部との距離を十分に大きくとって、前面ガード部が高温になるのを回避することができる。
なお、上記１）のファンヒーター用ガードに関し、「身体等」には、人間の身体の他に、各種の物品やペットが含まれるものとする。
【００１４】
上記２）のファンヒーター用ガードによれば、ガード本体の左側面ガード部および右側面ガード部に後方突出部分が設けられているので、ファンヒーターのケーシング前面における温風吹き出し口付近を左右側面側からも完全に覆うことができる上、左側面ガード部および右側面ガード部の各下縁に非接地縁部が設けられているので、ガード本体を、底板と干渉することなく、ケーシング前面側の床面に適切な姿勢で立てることができる。
【００１５】
上記３）のファンヒーター用ガードによれば、左側面ガード部および右側面ガード部の各下縁の非接地縁部に設けられた支持脚によって、ガード本体をより安定した状態で立てることができるとともに、ファンヒーターの機種によってケーシングの底板の前方突出長さが異なる場合でも、支持脚を前後方向にスライドさせてケーシングの底板と干渉しないように位置調整することができるので、様々な機種のファンヒーターに使用可能である。
【００１６】
上記４）のファンヒーター用ガードによれば、固定部材が少なくとも１つの固定バンドよりなるので、ガード本体をケーシングに簡単に固定することができ、また、固定解除も容易に行いうる。
【００１７】
上記５）のファンヒーター用ガードによれば、ガード本体が、左右方向にスライド自在に連結された第１ガード部材および第２ガード部材よりなるので、ケーシングの左右横幅が異なる複数の機種のファンヒーターに使用することが可能である。
【図面の簡単な説明】
【００１８】
【図１】この考案の実施形態に係るファンヒーター用ガードの正面図である。
【図２】同ファンヒーター用ガードの平面図である。
【図３】同ファンヒーター用ガードの右側面図である。
【図４】図３の一部を拡大して示す図である。
【図５】図４のV-V線に沿う垂直断面図である。
【考案を実施するための形態】
【００１９】
以下、この考案の実施形態を、図１〜図５を参照して説明する。
なお、以下の説明において、図２の下を「前」、同上を「後」といい、図１の左右を「左右」というものとする。
【００２０】
図１〜図３は、この実施形態に係るファンヒーター用ガード(1)の全体構成を、ファンヒーター(7)に設置した状態として示すものであり、図４および図５は、ガード(1)の一部を拡大して示すものである。
ここで、ファンヒーター(7)は、略箱形のケーシング(70)を有しているものである。ケーシング前面(70a)には、その高さ中間位置に略横長方形状の温風吹き出し口(71)が設けられている。ケーシング(70)の底部は、トレイ状の底板(72)によって構成されており、底板(72)の前縁部(721)がケーシング前面(70a)よりも所定距離(S)だけ前方に突出させられている。
これらの図に示す通り、ファンヒーター用ガード(1)は、ケーシング前面(70a)の温風吹き出し口(71)付近を覆うガード本体(2)と、ガード本体(2)をケーシング(70)に固定解除自在に固定する固定部材(3)とを備えている。
【００２１】
ガード本体(2)は、格子状の前面ガード部(21)と、前面ガード部(21)の上縁から後方にのびている格子状の上面ガード部(22)と、前面ガード部(21)の左縁および右縁からそれぞれ後方にのびかつ各上縁が上面ガード部(22)の左右各縁に連結されている格子状の左側面ガード部(23)および右側面ガード部(24)とを有しており、ファンヒーター(7)のケーシング前面(70a)における温風吹き出し口(71)付近を含む部分を覆うように床面(F)に立てられている。
【００２２】
ガード本体(2)は、より詳細には、第１前面ガード部(21A)、第１上面ガード部(22A)および左側面ガード部(23)を有している第１ガード部材(2A)と、第２前面ガード部(21B)、第２上面ガード部(22B)および右側面ガード部(24)を有している第２ガード部材(2B)とで構成されている。
そして、第１ガード部材(2A)の第１前面ガード部(21A)および第１上面ガード部(22A)と、第２ガード部材(2B)の第２前面ガード部(21B)および第２上面ガード部(22B)とが、それぞれ前後および上下に重ねられているとともに、連結部材(5)により相対的に左右方向にスライド自在に連結されている。
【００２３】
第１ガード部材(2A)および第２ガード部材(2B)の上記各ガード部(21A)(21B)(22A)(22B)(23)(24)は、例えば鋼製ワイヤ等の複数の金属線材(20)を溶接することによって形成された横格子状のものであって、金属線材(20)間を温風が流通するようになっている。
【００２４】
第１ガード部材(2A)の第１前面ガード部(21A)および第１上面ガード部(22A)は、略方形パネル状に形成された１つの横格子材を所定の高さ中間位置で曲げ加工することにより形成され、一体をなしている。第２ガード部材(2B)の第２前面ガード部(21B)および第２上面ガード部(22B)も、これと同様である。第１上面ガード部(22A)および第２上面ガード部(22B)は、後方に向かって上り勾配の傾斜面となされており、これらのガード部(22A)(22B)の後縁がケーシング前面(70a)に当接または近接させられる。なお、詳しい図示は省略したが、第１ガード部材(2A)の第１前面ガード部(21A)および第１上面ガード部(22A)、ならびに、第２ガード部材(2B)の第２前面ガード部(21B)および第２上面ガード部(22B)を構成する金属線材(20)の表面には、遮熱性を付与するために静電植毛が施されているのが好ましい。第１前面ガード部(21A)および第２前面ガード部(21B)の各下縁は、その左右両側部分が下方凸状となされており、これらの部分が床面(F)に接するようになされている。
【００２５】
第１ガード部材(2A)の左側面ガード部(23)および第２ガード部材(2B)の右側面ガード部(24)は、それぞれ略四角形パネル状の横格子材よりなる。
第１ガード部材(2A)の第１前面ガード部(21A)および第１上面ガード部(22A)と、左側面ガード部(23)とは、例えば、第１前面ガード部(21A)の左縁部分の上下２箇所に取り付けられた先端下向きの板状フック(61)を、左側面ガード部(23)の前縁部分の対応する上下２箇所に取り付けられた受け金具(62)の差込口(621)に上方から差し込むとともに、第１上面ガード部(22A)の左縁部分および左側面ガード部(23)の上縁部分に左右に重なるように取り付けられた１組の垂直な連結プレート(63)（図示は一方のみ）の互いに合致するねじ孔（図示略）に、固定ビス(64)をねじ込むことによって、連結一体化される。ただし、両者(21A)(22A);(23)の連結構造は、上記に限定されず、その他適宜の連結構造であっても構わない。第２ガード部材(2B)の第２前面ガード部(21B)および第２上面ガード部(22B)と、右側面ガード部(24)との連結構造も、上記と同様である。
【００２６】
左側面ガード部(23)および右側面ガード部(24)は、第１上面ガード部(22A)および第２上面ガード部(22B)の後縁よりも後方に突出しかつファンヒーター(7)のケーシング左側面(70b)およびケーシング右側面(70b)にそれぞれ沿わされる後方突出部分(231)(241)を有している。図３に示すように、左右各側面ガード部(23)(24)の後縁、すなわち、後方突出部(231)(241)の後縁を構成している垂直な金属線材(20)は、その上下両側部分が後方凸状に折り曲げられていて、その前方に隣接して設けられた垂直な金属線材(20)との間に、固定バンド挿通部(241a)（左側面ガード部(23)の方は図示略）が形成されるようになっている。
左側面ガード部(23)および右側面ガード部(24)の各下縁には、その前端部を除く部分に、ケーシング(70)の底板(72)との干渉を避けられるように、第１前面ガード部(21A)および第２前面ガード部(21B)の下縁の左右両側部分よりも所要高さ(H)だけ上方に位置させられた非接地縁部(242)（左側面ガード部(23)の方は図示略）が設けられている。
【００２７】
そして、左側面ガード部(23)および右側面ガード部(24)の各下縁の非接地縁部(242)に、第１前面ガード部(21A)および第２前面ガード部(21B)の下縁の左右両側部分ならびに左側面ガード部(23)および右側面ガード部(24)の各下縁の前端部と同一レベルの下端を有する支持脚(4)が、前後方向にスライド可能にかつ固定手段によって任意のスライド位置で固定可能に取り付けられている。図４および図５に詳しく示すように、支持脚(4)は、帯板状の金属片を曲げ加工することにより形成された脚本体(41)を有している。脚本体(41)は、左右方向外方に開口したコ形の横断面を有しかつ非接地縁部と床面(F)との間に配される脚部(41a)と、脚部(41a)の上縁から上方にのびる立ち上がり部(41b)とを備えている。立ち上がり部(41b)は、高さ中間部分で左右方向内方にクランク状に屈曲させられており、屈曲した箇所よりも上方部分が左右各側面ガード部(23)(24)の内側面に沿う取付基部(411)となされている。取付基部(411)は、左右各側面ガード部(23)(24)のうち下部の２本の水平な金属線材(20)に沿うような高さ位置に設けられている。取付基部(411)には、上記２本の水平な金属線材(20)どうしの間に位置するようにねじ挿通孔(411a)があけられており、また、取付基部(411)の内側面におけるねじ挿通孔(411a)の周縁部分にナット(412)が溶接固定されている。
支持脚(4)の固定手段は、左右各側面ガード部(23)(24)における上記２本の水平な金属線材(20)を挟んで取付基部(411)の反対側に配置されかつ中心部にねじ挿通孔(421)を有する略方形状の垂直な挟持プレート(42)と、挟持プレート(42)および取付基部(411)のねじ挿通孔(421)(411a)に挿通されてナット(412)にねじ込まれる固定ビス(43)とを備えている。挟持プレート(42)は、その上下縁部がそれぞれ左右方向内方に向かって直角に折り曲げられ、同先端が取付基部(411)の外側面に当接させられている。また、挟持プレート(42)の左右縁部には、上記２本の水平な金属線材(20)どうしの間に位置する長さ中間部分に、左右方向内方に向かって直角に折り曲げられた折り曲げ部が形成されている。固定ビス(43)をナット(412)にねじ込んでいくと、脚本体(41)の取付基部(411)と挟持プレート(42)とによって、上記２本の水平な金属線材(20)が締め付けられ、支持脚(4)が左右各側面ガード部(23)(24)に固定される。一方、固定ビス(43)を緩めることにより、支持脚(4)は前後方向にスライド可能な状態となる。ファンヒーター(7)の底板(72)の前方突出長さ、すなわち、ケーシング前面(70a)と底板(72)の前縁部(721)との間の距離(S)は、ファンヒーター(7)の機種によってまちまちであるが、支持脚(4)を、前後方向にスライドさせて位置調整することにより、底板(72)の前縁部(721)と干渉することなく床面(F)に立てることができる。
なお、前述した第１ガード部材(2A)と第２ガード部材(2B)とを連結している連結部材(5)も、上記支持脚(4)の固定手段とほぼ同様の固定構造を有しており、連結部材(5)に備えられた固定ビス(51)をねじ込むことにより両部材(2A)(2B)が固定され、固定ビス(51)を緩めることにより両部材(2A)(2B)が相対的にスライド可能となっている。
【００２８】
固定部材は、上下２つの固定バンド(3)よりなる。なお、固定バンド(3)は、少なくとも１つあれば足りる。
各固定バンド(3)は、一端が左側面ガード部(23)に連結され、他端が右側面ガード部(24)に連結されて、ケーシング(70)の周囲に巻き留められるようになっている。
固定バンド(3)は、合成樹脂、織物、ゴム等の可撓性材料からなる帯状のものである。
固定バンド(3)の両端部には、ガード本体(2)の左右側面ガード部(23)(24)への連結手段が設けられている。連結手段としては、例えば面ファスナーが用いられる。具体的には、固定バンド(3)の各端部の片面に、面ファスナーのフック部材とループ部材（図示略）とが長さ方向に並んで接合されている。そして、固定バンド(3)の各端部を、左右各側面ガード部(23)(24)の固定バンド挿通部(241a)に通したのち、折り返してフック部材とループ部材とを重ねるようにすれば、固定バンド(3)の各端部が左右各側面ガード部(23)(24)に着脱自在に連結される。
【００２９】
上記のファンヒーター用ガード(1)は、例えば、次のようにしてファンヒーター(7)に設置することができる。
まず、ファンヒーター(7)のケーシング(70)の横幅に合わせて第１ガード部材(2A)および第２ガード部材(2B)を左右方向に適宜スライドさせた後、両部材(2A)(2B)を固定した上で、ガード本体(2)を、第１上面ガード部(22A)および第２上面ガード部(22B)の後縁がケーシング前面(70a)に当接するとともに、左側面ガード部(23)および右側面ガード部(24)の後方突出部分(231)(241)がケーシング左右側面(70b)に沿うように、ケーシング前面(70a)側の床面(F)に立てる。この際、支持脚(4)が底板(72)の前縁部(721)と干渉するようであれば、固定ビス(43)を緩めて、支持脚(4)を、前方にスライドさせて底板(72)の前縁部(721)と干渉しない位置まで移動させ、同位置で固定ビス(43)をねじ込んで固定する。
次いで、各固定バンド(3)の一端部を左右側面ガード部(23)(24)のうちいずれかの一方の固定バンド挿通部(241)に通した後、折り返して面ファスナーのフック部材をループ部材に接合することにより同一方の側面ガード部材に連結しておいてから、各固定バンド(3)をケーシング(70)の周囲に巻き付け、最後に、各固定バンド(3)の他端部を上記と同様にして他方の側面ガード部材に連結する。
こうして、ファンヒーター用ガード(1)が所定箇所に設置され、ケーシング前面(70a)の温風吹き出し口(71)付近がガード本体(2)によって覆われる。
【００３０】
上記実施形態のファンヒーター用ガード(1)によれば、ファンヒーター(7)のケーシング前面(70a)における温風吹き出し口(71)付近を覆うガード本体(2)が、ケーシング前面(70a)側の床面(F)に立てられて、固定バンド(3)によりケーシング(70)に固定されているので、ガード本体(2)に上方から荷重が加えられた場合でもケーシング(70)から容易に外れるおそれがなく、安全性に優れている。
また、上記ガード(1)の場合、ガード本体(2)自体の荷重が床面(F)で受けられるため、サイズや重量の制約が少なく、従って、上記特許文献１のガードと比べて、温風吹き出し口(71)と前面ガード部(21)との距離を十分に大きくとって、前面ガード部(21)が高温になるのを確実に防止することができ、安全性がより一層高められる。
しかも、上記ガード(1)によれば、ガード本体(2)の左側面ガード部(23)および右側面ガード部(24)に後方突出部分(231)(241)が設けられているので、ファンヒーター(7)のケーシング前面(70a)の温風吹き出し口(71)付近を左右側面側からも完全に覆うことができ、また、左側面ガード部(23)および右側面ガード部(24)の各下縁に非接地縁部(241)が設けられているので、ガード本体(2)を、底板(72)と干渉することなく床面(F)に適切な姿勢で立てることができる。
加えて、上記ガード(1)によれば、左側面ガード部(23)および右側面ガード部(24)の各下縁の非接地縁部(241)に設けられた支持脚(4)によって、ガード本体(2)をより安定した状態で立てることができる上、ファンヒーター(7)の機種によってケーシング(70)の底板(71)の前方突出長さが異なる場合でも、支持脚(4)を前後方向にスライドさせて底板(72)の前縁部(721)と干渉しないように位置調整することができるので、様々な機種のファンヒーター(7)への適用が可能である。
さらに、上記ガード(1)によれば、固定部材が固定バンド(3)よりなるので、ガード本体(2)をケーシング(70)に簡単に固定することができ、その固定解除も容易に行いうる。
また、上記ガード(1)によれば、ガード本体(2)が、左右方向にスライド自在に連結された第１ガード部材(2A)および第２ガード部材(2B)よりなるので、ケーシング(70)の左右横幅が異なる複数の機種のファンヒーター(7)に使用することが可能である。
【産業上の利用可能性】
【００３１】
この考案は、石油ファンヒーター、ガスファンヒーター等のファンヒーターのケーシング前面における温風吹き出し口付近に身体等が接触するのを防止するファンヒーター用ガードとして好適に使用することができる。
【符号の説明】
【００３２】
(1)：ファンヒーター用ガード
(2)：ガード本体
(2A)：第１ガード部材
(2B)：第２ガード部材
(21)：前面ガード部
(21A)：第１前面ガード部
(21B)：第２前面ガード部
(22)：上面ガード部
(22A)：第１上面ガード部
(22B)：第２上面ガード部
(23)：左側面ガード部
(231)：後方突出部分
(24)：右側面ガード部
(241)：後方突出部分
(242)：非接地縁部
(3)：固定バンド（固定部材）
(4)：支持脚
(41)：脚本体
(42)：挟持プレート（固定手段）
(43)：固定ビス（固定手段）
(7)：ファンヒーター
(70)：ケーシング
(70a)：ケーシング前面
(70b)：ケーシング左側面、ケーシング右側面
(71)：温風吹き出し口
(72)：底板
【図１】
0003212715.tif 000003
【図２】
0003212715.tif 000004
【図３】
0003212715.tif 000005
【図４】
0003212715.tif 000006
【図５】
0003212715.tif 000007